(57)【要約】【課題】外気を靴内に送り込むと共に、内気を靴外に送り出すことが可能であって、充分な量の吸気と排気を行え、靴内の充分且つ効率の良い換気を可能とし、且つ履きごごちがよく、滑り及びつまずきが防止でき安全な換気靴を提供することを目的とする。【解決手段】ポンプの一端には逆止吸気弁を備えた吸入管を連通し、他端には先端に排出口を有する送気管を連通し、ポンプの下部にカラーを設け、カラーの下部に係止部材を備えた球体を設置し、ポンプと球体間にはコイルスプリングを設置した靴内換気装置を備え、踵部に収納部を設けると共に、収納部の底面には、球体の突出をゆるし、且つ係止部材の突出を許さない貫通孔を穿孔し、収納部内にカラー、球体及びコイルスプリングを設置したことを特徴とする換気靴。【選択図】  図１
2006181130.tif 000002
【特許請求の範囲】
【請求項１】
ポンプの一端には逆止吸気弁を備えた吸入管を連通し、他端には先端に排出口を有する送気管を連通し、ポンプの下部にカラーを設け、カラーの下部に係止部材を備えた球体を設置し、ポンプと球体間にはスプリングを設置したことを特徴とする靴内換気装置。
【請求項２】
少なくともポンプは被覆部材で被覆されていることを特徴とする請求項１記載の靴内換気装置。
【請求項３】
ポンプの一端には逆止吸気弁を備えた吸入管を連通し、他端には先端に排出口を有する送気管を連通し、ポンプの下部にカラーを設け、カラーの下部に係止部材を備えた球体を設置し、ポンプと球体間にはスプリングを設置した靴内換気装置を備え、踵部に収納部を設けると共に、収納部の底面には、球体の突出をゆるし、且つ係止部材の突出を許さない貫通孔を穿孔し、収納部内にカラー、球体及びコイルスプリングを設置したことを特徴とする換気靴。
【請求項４】
送気管には逆止排気弁を備えていることを特徴とする請求項３記載の換気靴。
【請求項５】
靴内換気装置の少なくともポンプは被覆部材で被覆されていることを特徴とする請求項３又は４記載の換気靴。
【請求項６】
靴内の空気を靴外に排出する排出管を備えることを特徴とする請求項３から５のうちいずれか１項記載の換気靴。
【請求項７】
ポンプは、中心部が厚く、外周部が薄く形成された、二個の内部空洞の略半円形状の弾性を備えた吸盤型のポンプ部材を接合して構成したことを特徴とする請求項３から６のうちいずれか１項記載の換気靴。
【請求項８】
貫通孔は上方に向かって縮径するテーパー状に形成したことを特徴とする請求項３から７のうちいずれか１項記載の換気靴。
【請求項９】
球体の表面には凹凸を設けたことを特徴とする請求項３から８のうちいずれか１項記載の換気靴。
【発明の詳細な説明】
【技術分野】
【０００１】
本発明は、靴内に設置して靴内の換気を行う為の装置及び換気装置を靴内に設けた靴内の換気が可能な靴に関する。
【背景技術】
【０００２】
現在の靴は履きごごちをよくし、足への負担を軽減するために、足が靴内で移動せず、足にフィットする靴が多い。このような靴は通気性が悪く、そのため長時間履き続けると足からの発汗により内部がむれ、雑菌が発生し、水虫等の疾患や悪臭を発生させる等の問題があった。特に革靴、安全靴、長靴ではこの問題が顕著であった。
【０００３】
そこで、靴の着用時に強制的に靴内の換気を行い、水虫等の疾患や悪臭を防止しようとする靴が多数提案されている。その中の一つは、靴底内の踵部分に弾性変形可能な上部部分を有する密閉室を設け、密閉室の内部に設けた圧縮ばねにより上部分を弾発的に支持し、靴内に開口する吸気管と排気管を密閉室に接続した靴が提案されている（特許文献１参照。）。
【０００４】
しかし、この靴は上部部分の弾性変形による密閉室のポンプ作用により吸気と排気を行うが、上部部分の変形は靴底内で極めて微小にしか行われないために、充分な量の吸気と排気を行うことが出来ないという問題点があった。又、吸気口が靴内にあるために、外気を靴内に送り込むことができず、上記ポンプ作用により靴内で空気が循環してしまい、靴内の充分な換気が出来ないという問題点もあった。
【０００５】
又、靴底の踵部に下端が開放した縦孔を設け、この縦孔内に、伸展する方向にスプリングで偏向されたベローズを収納し、このべローズの下端に踵部材を縦孔より突出するように固定し、踵部材にベローズの内部と連通する空室を設け、表面に多数の通気孔を設けた中底とベローズとを連通させた靴が提案されている（特許文献２参照。）。
【０００６】
しかし、この従来の靴は、踵内のベローズの伸長と圧縮により吸気と排気を行うので、ベローズの変形は靴底内で極めて微小にしか行われないために、充分な量の吸気と排気を行うことが出来ないという問題点があった。又、吸気管及び排気管に同一の管が用いられるとともに、吸気口及び排気口が靴内にあるために、外気を靴内に送り込むことができず、靴内で空気が循環してしまい、靴内の充分な換気が出来ないという問題点もあった。更に、踵部分から下方へ突出した踵部材はベローズとのみ連結すると共に、踵部分から完全に下方へ突出するので、着地した際に踵部材が踵部分に設けた縦孔にうまく挿入されず、靴底に大きな凹凸が生じて履きごごちが悪いと共に、滑り或いはつまずき易く、危険であるという問題点を有していた。
【０００７】
【特許文献１】特許第２７６１６１８号公報
【特許文献２】実公平６−１０８１２号公報
【発明の開示】
【発明が解決しようとする課題】
【０００８】
そこで、本願発明は、上記問題点を解決し、外気を靴内に送り込むと共に、内気を靴外に送り出すことが可能であって、充分な量の吸気と排気を行え、靴内の充分且つ効率の良い換気を可能とし、且つ履きごごちがよく、滑り及びつまずきが防止でき安全な換気靴を提供することを目的とする。
【課題を解決するための手段】
【０００９】
上記課題を解決するための手段は、ポンプの一端には逆止吸気弁を備えた吸入管を連通し、他端には先端に排出口を有する送気管を連通し、ポンプの下部にカラーを設け、カラーの下部に係止部材を備えた球体を設置し、ポンプと球体間にはスプリングを設置したことを特徴とする靴内換気装置である。
【００１０】
更に、少なくともポンプは被覆部材で被覆されていることを特徴とする靴内換気装置である。
【００１１】
又、ポンプの一端には逆止吸気弁を備えた吸入管を連通し、他端には先端に排出口を有する送気管を連通し、ポンプの下部にカラーを設け、カラーの下部に係止部材を備えた球体を設置し、ポンプと球体間にはスプリングを設置した靴内換気装置を備え、踵部に収納部を設けると共に、収納部の底面には、球体の突出をゆるし、且つ係止部材の突出を許さない貫通孔を穿孔し、収納部内にカラー、球体及びスプリングを設置したことを特徴とする換気靴である。
【００１２】
更に、本換気靴は、送気管には逆止排気弁を備えていることを特徴とする換気靴である。
【００１３】
更に、本換気靴は、靴内換気装置の少なくともポンプは被覆部材で被覆されていることを特徴とする換気靴である。
【００１４】
更に、本換気靴は、靴内の空気を靴外に排出する排出管を備えることを特徴とする換気靴である。
【００１５】
更に、本換気靴は、ポンプは、中心部が厚く、外周部が薄く形成された、二個の内部空洞の略半円形状の弾性を備えた吸盤型のポンプ部材を接合して構成したことを特徴とする換気靴である。
【００１６】
更に、本換気靴は、貫通孔は上方に向かって縮径するテーパー状に形成したことを特徴とする換気靴である。
【００１７】
更に、本換気靴は、球体の表面には凹凸を設けたことを特徴とする換気靴である。
【発明の効果】
【００１８】
上記のような本発明によれば、換気靴において、外気を靴内に送り込むと共に、内気を靴外に送り出すことが可能となり、充分な量の吸気と排気を行え、靴内の充分且つ効率の良い換気を可能とし、且つ履きごごちがよく、滑り及びつまずきが防止でき安全となった。
【発明を実施するための最良の形態】
【００１９】
以下本発明の実施の形態を図に従って説明する。換気靴１は靴内換気装置２を備え、靴底１１の踵部１２には貫通孔１３１を備える収納部１３を設けている。靴内換気装置２はポンプ３、ポンプ３に連通する吸入管４及び送気管５、ポンプ３の下部に設けられたカラー６、カラー６の下部に設けられ、係止部材７７を備える球体７及びカラー６の周囲に位置し、ポンプ３と球体７間に設けられたコイルスプリング８を備えて構成されている。
【００２０】
ポンプ３は合成樹脂、天然ゴム、エラストマー等で構成した内部空洞の略半円形状の弾性を備えた吸盤型のポンプ部材３１，３２を上下方向から接合して上下方向に凸状に構成し、内部に空気室３９を備えている。ポンプ部材３１，３２は中心部を厚く、外周部を薄く形成することが好ましい。これによりポンプ部材３１，３２の応力が増し、効率の良い吸気が行える。又、ポンプ部材３１，３２の内表面は平滑ではなく、微小な突起、溝等を設けて凹凸状にして、ポンプ部材３１，３２の吸着を防止することが好ましい。
【００２１】
ポンプ３のポンプ部材３１，３２の接合部の対向する二箇所には、逆止吸気弁４１を備えた吸入管４及び逆止排気弁５１を備えた送気管５を連通させている。吸入管４は換気靴１の内側踵部分に沿って設置し、換気靴１に用いる靴の種類により換気靴１の開口１０までの適宜長さとする。吸入管４及び送気管５は合成樹脂を用いて断面円形の管を用いてもよいが、靴内で足１００との接触による違和感を減少させるために、薄膜状の素材を用いて、空気が通過するときに膨らみ、通過しないときには平たくなるよう構成することが望ましい。逆止吸気弁４１は換気靴１の開口１０後端から靴外へ突出させ、逆止排気弁５１はポンプ部材３１，３２の接合部に直接設置している。尚、逆止排気弁５１を設けずに、送気管５を直接ポンプ３と連通させてもよい。又、吸入管４は換気靴１の甲皮１５内の踵部分に埋設してもよい。又、長靴であれば、吸入管４は開口１０まで至らず、甲皮１５の途中に通孔を設け、該通孔に逆止吸気弁４１を設置することとしてもよい。
【００２２】
逆止吸気弁４１は図６によく示すように、上下がテーパー状の空室４０内の下部にスプリング４４を備え、スプリング４４の上部に発泡スチロール製の球状体４３を設けた弁本体４２で構成されている。このような構成とすることで、外気がポンプ３方向、図では上方から下方へ流れる場合には球状体４３が下方へ移動してスプリング４４で支持されて外気の流れをさえぎることはなく、逆にポンプ３内の空気が靴外へ、図では下方から上方へ流れようとすると、球状体４３が上部へ移動し空室４０を塞いで、空気の流れを防止することにより、ポンプ３内の空気の吸入管４を介した外部への流れを防止することが可能となっている。
【００２３】
又、弁本体４２の上端部には凹部４８を設けて、該凹部４８に通気が可能で、水や埃の浸入を防ぐスポンジ様のフィルター４５を設けることは望ましい。更に、換気孔４７を有する調節蓋４６を弁本体４２の上部に設けたガイド４２１，４２１でスライド可能に保持している。これにより調節蓋４６のスライドにより、弁本体４２の開口部上に換気孔４７を適宜合わせることにより、外気の吸入量を調節可能とすることができる。
【００２４】
尚、逆止排気弁５１は図６に示された逆止吸気弁４１の構成中、フィルター４５や換気孔４７を設けず、空室内の球状体とスプリングの位置を入れ替えることにより構成されている。即ち、ポンプ３側に発泡スチロール製の球状体を設け、排出口５２側にスプリングを設けている。このような構成とすることで、ポンプ３内の空気が換気靴１内へ流れる場合には球状体がスプリング方向へ移動してスプリングで支持されて空気の流れをさえぎることはなく、逆に換気靴１内の空気がポンプ内へ流れようとすると、球状体がポンプ３方向へ移動し空室を塞いで、空気の流れを防止することにより、換気靴１内の空気の送気管５を介したポンプ３内への流れを防止することが可能となっている。このように逆止吸気弁４１及び逆止排気弁５１を設けることにより、換気靴１内の換気が確実且つ効率よく行えることとなる。
【００２５】
又、図３及び４に示すように、ポンプ３を覆う被覆部材３５を設けることとしてもよい。被覆部材３５は合成樹脂等を用いて、上面３６を換気靴１の内側踵部分に適合する平板状に構成し側面３７及び底面３８を蛇腹等、伸縮可能に構成する。。被覆部材３５を設けた場合にも、カラー６及びコイルスプリング８は被覆部材３５を介してポンプ３の下部に設置される。
【００２６】
又、被覆部材はポンプ３を被覆するのみならず、逆止排気弁５１及び送気管５を被覆した換気靴１の敷皮部分の形状に構成し、上記構成に加えて踵部分より前方に溝又は長孔を設けて逆止排気弁５１及び送気管５を埋設する構成としてもよい。このような被覆部材は中敷としての働きも有することになる。
【００２７】
排出管５は中敷１４の内部に設けた長孔或いは表面又は裏面に設けた溝（図示せず）に設置しその先端を略Ｔ字状にして適宜数の排出口５２，５２…を足１００の指１０２の部分に位置するように設ける。排出口５２の設置位置は指１０２の部分に限定されず、指１０２の付け根や土踏まず等適宜の位置に変更、増設可能である。
【００２８】
ポンプ３の下部には円筒状のカラー６を設け、カラー６の下部に適宜の弾性を備えた合成樹脂やゴム製の球体７を設置する。このように踵部１２から突出する部材を球体とすることで、どのような角度からの着地であっても確実に接地可能となり、滑り防止効果が極めて高くなる。カラー６はポンプ３又は／及び球体７或いは係止部材７７に固定してもよいが、しなくてもよい。球体７には表面から放射状に突出する係止部材７７を固定し、ポンプ３と球体７間にはスプリングとして圧縮用のコイルスプリング８をカラー６を取り巻くように設置する。スプリングとしてはコイルスプリング８に限定されず、板状のスプリング等を使用することも可能である。係止部材７７は球体７が貫通孔１３１から完全に突出することを防止して、突出した球体７の収納部１３内への収納が円滑に行われるようにするための部材であり、中央に円形の孔を有する平板体であり、該孔に球体７を挿入して固着している。
【００２９】
球体７をより貫通孔１３１から突出させて、ポンプ３の空気室３９の膨張をより大きくすることで、多量の外気を吸気可能となるので、係止部材７７は球体７の出来るだけ上方に設けることが望ましい。コイルスプリング８はカラー６内部に挿入して設置することとしてもよい。球体７の表面には滑り防止のために凹部７１，７１…を設ける等して凹凸を設けることが望ましい。又、カラー６の高さ及びコイルスプリング８の長さを適宜変更することにより、踵部１２の高さが異なる靴に用いることが可能である。
【００３０】
換気靴１の靴底１１の踵部１２には、靴の内部に開口する凹状の収納部１３を設けると共に、収納部１３の底面即ち踵部１２の底面１２１に、球体７の突出をゆるし、且つ係止部材７７の突出を許さない横断面円形の貫通孔１３１を穿孔し、収納部１３内にカラー６、球体７及びコイルスプリング８を設置している。収納部１３はポンプ３の真下に位置し、ポンプ部材３１が充分に侵入可能な体積を備えている。貫通孔１３１は上方に向かって縮径するテーパー状に形成することが好ましい。このようにすることで、貫通孔１３１へ泥や小石が詰まることを防止することが出来、ひいては歩く際に違和感がなく、躓きにくく、滑りにくい靴とすることが出来る。
【００３１】
ポンプ３は中敷１４と靴底１１間に位置させて、ポンプ３のポンプ部材３１の外周部と靴底１１間を接着剤１９等によりシールし、貫通孔１３１からの水等が換気靴１内に進入するのを防いでいる。被覆部材３５を設けている場合には、被覆部材３５と靴底１１間を接着剤１９等によりシールする。
【００３２】
又、換気靴１内の空気を効率よく換気靴１外へ排出するために、排出管９を設けることは推奨される。排出管９は適宜素材を合わせて数層に構成されて、内側層がメッシュ１５１等の通気性を有する甲皮１５内の層間に挿入して排出端９１を開口１０前端から換気靴１外へ突出させ、吸気端９２を足の甲に対応する箇所に位置させる。吸気端９２の甲皮１５内側が通気性を備えない靴の場合には、吸気端９２と連通し、換気靴１の内部と排出管９を連通する孔を設ける。又、排出管９は甲皮１５内に設けるのではなく、甲皮１５の内側に設けることとしてもよい。排出管９は合成樹脂を用いて断面円形の管を用いてもよいが、靴内で足との接触による違和感を減少させるために、薄膜状の素材を用いて、空気が通過するときに膨らみ、通過しないときには平たくなるよう構成することが望ましい。
【００３３】
次に本発明の作用について説明する。換気靴１を履いている際に、踵部１２が地面から離れると、コイルスプリング８が伸長して球体７が貫通孔１３１から下方へ突出し、係止部材７７が貫通孔１３１上端周縁で係止されて、球体７の突出を止める。このときにポンプ部材３１が下方へ引っ張られてポンプ３が膨らみ、逆止吸気弁４１及び吸入管４を介して空気室３９へ外気を吸入する。このときにポンプ部材３２は中敷１４或いは被覆部材を押し上げて上方へ膨らみ、ポンプ部材３１は下方へ膨らんで収納部１３内へ入り込むので、空気室３９がより大きく膨らみことができ、多くの空気を吸入出来るので、効率よく、多量の空気を換気靴１内へ送り込むことが出来る。
【００３４】
次に踵部１２が着地すると、球体７が貫通孔１３１を上方へ移動して収納部１３内へ収納される。このときにポンプ部材３１はコイルスプリング８に押圧され、同時に、ポンプ部材３２は足の踵に踏まれ、ポンプ３が萎み、空気室３９内の空気が逆止排気弁５１及び送気管５を介して排出口５２，５２…から換気靴１内に送られる。空気室３９内の空気は逆止吸気弁４１の働きにより、吸入管４を介して換気靴１外へ流れることはない。そして、換気靴１内にあった空気は、排出管９を介して換気靴１外へ排出される。
【００３５】
このような作用が繰り返され、換気靴１内は強制的に換気され、常に外気が送られ、内気が排出される。
【００３６】
上記では、本発明の換気靴１について説明したが、換気靴１が備える靴内換気装置２を独立して製造、販売等し、後に適宜の靴に加工を施して設置することも可能である。又、換気靴１として用いられる靴には特に限定はなく、運動靴、革靴、長靴、安全靴、ブーツ等どのような靴でもよい。
【図面の簡単な説明】
【００３７】
【図１】本発明第一実施例使用状態図
【図２】本発明第一実施例使用状態図
【図３】本発明第二実施例斜視図
【図４】本発明第二実施例部分断面図
【図５】本発明第一実施例部分断面図
【図６】本発明一実施例逆止吸気弁部分図
【符号の説明】
【００３８】
１      換気靴
１１    靴底
１２    踵部
１３    収納部
１３１  貫通孔
１４    中敷
１５    甲皮
２      靴内換気装置
３      ポンプ
３１    ポンプ部材
３２    ポンプ部材
３５    被覆部材
３９    空気室
４      吸入管
４１    逆止吸気弁
５      送気管
５１    逆止排気弁
５２    排出口
６      カラー
７      球体
７７    係止部材
８      コイルスプリング
９      排出管
１００  足
１０２  指
【図１】
2006181130.tif 000003
【図２】
2006181130.tif 000004
【図３】
2006181130.tif 000005
【図４】
2006181130.tif 000006
【図５】
2006181130.tif 000007
【図６】
2006181130.tif 000008